(57)【要約】【課題】ローラーの交換時期を容易に判別して床面の傷を防止できる電気掃除機用吸込口体及び電気掃除機を提供する。【解決手段】床面に対峙する吸込口１１ａを開口する筐体１１と、筐体１１に軸支して床面上を転動するローラー１２とを有した電気掃除機用吸込口体１０において、ローラー１２は筐体１１に軸支された硬質部材から成る支持部１３と、支持部１３の外周側に配される第１軟質部材１４と、最外周に配される第２軟質部材１６とを有し、第１、第２軟質部材１４、１６の一方が有彩色から成り、他方が無彩色または一方と色相の異なる有彩色から成る。【選択図】図３
2011055903.tif 000002
【特許請求の範囲】
【請求項１】
床面に対峙する吸込口を開口する筐体と、前記筐体に軸支して床面上を転動するローラーとを有した電気掃除機用吸込口体において、前記ローラーは前記筐体に軸支された硬質部材から成る支持部と、前記支持部の外周側に配される第１軟質部材と、最外周に配される第２軟質部材とを有し、第１、第２軟質部材の一方が有彩色から成り、他方が無彩色または一方と色相の異なる有彩色から成ることを特徴とする電気掃除機用吸込口体。
【請求項２】
床面に対峙する吸込口を開口する筐体と、前記筐体に軸支して床面上を転動するローラーとを有した電気掃除機用吸込口体において、前記ローラーは前記筐体に軸支された硬質部材から成る支持部と、前記支持部の外周側に配される第１軟質部材と、最外周に配される第２軟質部材とを有し、第１、第２軟質部材の一方が黒色から成り、他方が白色から成ることを特徴とする電気掃除機用吸込口体。
【請求項３】
第２軟質部材が第１軟質部材に植毛されることを特徴とする請求項１または請求項２に記載の電気掃除機用吸込口体。
【請求項４】
第１軟質部材の外周面の一部を径大にしたことを特徴とする請求項１〜請求項３のいずれかに記載の電気掃除機用吸込口体。
【請求項５】
第１軟質部材が樹脂により固化された不織布またはエラストマー樹脂から成り、第２軟質部材がナイロンまたはフッ素樹脂から成ることを特徴とする請求項１〜請求項４のいずれかに記載の電気掃除機用吸込口体。
【請求項６】
第１、第２軟質部材が同じ材質から成ることを特徴とする請求項１〜請求項４のいずれかに記載の電気掃除機用吸込口体。
【請求項７】
請求項１〜請求項６のいずれかに記載の電気掃除機用吸込口体を備えたことを特徴とする電気掃除機。
【発明の詳細な説明】
【技術分野】
【０００１】
本発明は、床面を転動するローラーを有した電気掃除機用吸込口体及びそれを用いた電気掃除機に関する。
【背景技術】
【０００２】
従来の電気掃除機用吸込口体は特許文献１に開示されている。この電気掃除機用吸込口体は吸込口を開口する筐体にローラーが軸支される。ローラーは筐体に軸支される支持部上に摩擦抵抗の小さい合成樹脂層が設けられる。電気掃除機用吸込口体はローラーが床面を転動して前後に移動し、吸込口から床面の塵埃を吸引する。
【先行技術文献】
【特許文献】
【０００３】
【特許文献１】特開２００１−２５２２２５号公報（第２頁−第３頁、第２図）
【発明の概要】
【発明が解決しようとする課題】
【０００４】
しかしながら、上記従来の電気掃除機用吸込口体によると、合成樹脂層が摩耗すると摩擦抵抗の大きい支持部が床面と摺動し、床面を傷つける問題があった。
【０００５】
また、支持部上に第１、第２軟質部材を積層した電気掃除機用吸込口体も知られている。この電気掃除機用吸込口体によると、第２軟質部材が摩耗して第１軟質部材が露出するとローラーを交換することによって床面の傷付きを防止できる。
【０００６】
この時、第１軟質部材が例えば黒色のエラストマー樹脂等により形成され、第２軟質部材が第１軟質部材上に植毛された灰色のナイロン等により形成される。このため、第２軟質部材が摩耗して第１軟質部材が露出したことを使用者が解りにくい。これにより、ローラーが交換されずに第１軟質部材が摩耗して支持部が露出し、床面を傷つける問題があった。
【０００７】
本発明は、ローラーの交換時期を容易に判別して床面の傷を防止できる電気掃除機用吸込口体及び電気掃除機を提供することを目的とする。
【課題を解決するための手段】
【０００８】
上記目的を達成するために本発明は、床面に対峙する吸込口を開口する筐体と、前記筐体に軸支して床面上を転動するローラーとを有した電気掃除機用吸込口体において、前記ローラーは前記筐体に軸支された硬質部材から成る支持部と、前記支持部の外周側に配される第１軟質部材と、最外周に配される第２軟質部材とを有し、第１、第２軟質部材の一方が有彩色から成り、他方が無彩色または一方と色相の異なる有彩色から成ることを特徴としている。
【０００９】
この構成によると、床面をローラーが転動して床面に対峙する吸込口から塵埃が吸い込まれる。ローラーは電気掃除機用吸込口体の筐体に軸支される支持部上に第１、第２軟質部材が積層される。内周側に配される第１軟質部材は例えば黄色等の有彩色の軟質樹脂から成り、最外周に配される第２軟質部材は第１軟質部材と色相の異なる赤色等の有彩色や例えば灰色等の無彩色の軟質樹脂から成る。第２軟質部材が摩耗して第１軟質部材が露出すると使用者により容易に判別され、ローラーが交換される。第１軟質部材と第２軟質部材との間に第２軟質部材と同色の軟質部材を配してもよい。
【００１０】
また本発明は、床面に対峙する吸込口を開口する筐体と、前記筐体に軸支して床面上を転動するローラーとを有した電気掃除機用吸込口体において、前記ローラーは前記筐体に軸支された硬質部材から成る支持部と、前記支持部の外周側に配される第１軟質部材と、最外周に配される第２軟質部材とを有し、第１、第２軟質部材の一方が黒色から成り、他方が白色から成ることを特徴としている。
【００１１】
また本発明は、上記構成の電気掃除機用吸込口体において、第２軟質部材が第１軟質部材に植毛されることを特徴としている。この構成によると、第１軟質部材上に接着剤による接着や静電気による吸着等により第２軟質部材が植毛される。
【００１２】
また本発明は、上記構成の電気掃除機用吸込口体において、第１軟質部材の外周面の一部を径大にしたことを特徴としている。この構成によると、第２軟質部材が摩耗すると第１軟質部材の径大の部分が線状や点状に露出する。
【００１３】
また本発明は、上記構成の電気掃除機用吸込口体において、第１軟質部材が樹脂により固化された不織布またはエラストマー樹脂から成り、第２軟質部材がナイロンまたはフッ素樹脂から成ることを特徴としている。
【００１４】
また本発明は、上記構成の電気掃除機用吸込口体において、第１、第２軟質部材が同じ材質から成ることを特徴としている。
【００１５】
また本発明の電気掃除機は、上記各構成の電気掃除機用吸込口体を備えたことを特徴としている。
【発明の効果】
【００１６】
本発明によると、床面を転動するローラーが硬質部材から成る支持部上に第１、第２軟質部材を有し、第１、第２軟質部材の一方が有彩色で他方が無彩色または色相の異なる有彩色であるので、第１軟質部材の露出によって第２軟質部材の摩耗を容易に判別することができる。従って、使用者がローラーの交換時期を容易に判別して床面の傷を防止することができる。
【図面の簡単な説明】
【００１７】
【図１】本発明の第１実施形態の電気掃除機を示す側面断面図
【図２】本発明の第１実施形態の電気掃除機の吸込口体を示す底面図
【図３】本発明の第１実施形態の電気掃除機の吸込口体のローラーを示す断面図
【図４】本発明の第２実施形態の電気掃除機の吸込口体のローラーを示す断面図
【発明を実施するための形態】
【００１８】
以下に本発明の実施形態を図面を参照して説明する。図１は第１実施形態の電気掃除機の側面断面図を示している。電気掃除機１は電動送風機３を内装する本体部２を有し、本体部２には可撓性の接続ホース４が取り付けられる。接続ホース４の端部には延長管６が接続され、延長管６との接続部から分岐して使用者が把持する把持部５が設けられる。延長管６の先端には吸込口体１０が接続される。
【００１９】
図２は吸込口体１０の底面図を示している。吸込口体１０は樹脂成形品から成る筐体１１により覆われ、筐体１１の底面には床面に対峙する吸込口１１ａが開口する。吸込口１１ａ内には床面に接して回転する回転ブラシ１９が設けられる。吸込口１１ａの両側方及び後方には軸部１２ａで筐体１１に軸支されるローラー１２が設けられる。
【００２０】
ローラー１２が床面を転動して吸込口体１０が床面上を移動し、電動送風機３の駆動によって吸込口１１ａから床面の塵埃が吸い込まれる。吸込口１１ａから吸い込まれた塵埃は延長管６及び接続ホース４を介して本体部２内に集塵される。
【００２１】
図３はローラー１２の断面図を示している。ローラー１２は筐体１１に軸支される支持部１３上に中間層１４及び最外層１６が積層される。支持部１３はポリアセタール等の硬質部材により形成され、軸部１２ａ（図２参照）が圧入される軸孔１３ａを有している。
【００２２】
中間層１４はインサート成形により支持部１３と一体成形されるエラストマー樹脂等の軟質部材から成る。中間層１４をエラストマー樹脂により形成すると弾性によってローラー１２を床面に追随させることができる。中間層１４の外周面は軸方向の両端から延びる傾斜面によって中央部が径大に形成される。
【００２３】
最外層１６は静電気による吸着や接着剤による接着によって中間層１４上に植毛されたナイロンやフッ素樹脂等の耐摩耗性の高い軟質部材から成る。また、中間層１４は例えば、有彩色である黄色に着色して形成され、最外層１６は例えば無彩色の灰色に着色して形成される。
【００２４】
吸込口体１０が床面上を移動するとローラー１２が床面との摩擦により摩耗する。最外層１６が摩耗して中間層１４が露出すると中間層１４が有彩色で最外層１６が無彩色であるため使用者により最外層１６の摩耗が容易に判別される。これにより、ローラー１２が交換される。
【００２５】
本実施形態によると、ローラー１２が硬質部材から成る支持部１３上に軟質部材から成る中間層１４（第１軟質部材）と最外層１６（第２軟質部材）を有し、中間層１４が有彩色で最外層１６が無彩色（黒色、灰色、白色）であるので、中間層１４の露出によって最外層１６の摩耗を容易に判別することができる。このため、使用者がローラー１２の交換時期を容易に判別してローラー１２を交換することができる。従って、支持部１３が露出して床面と摺動することによる床面の傷を防止することができる。
【００２６】
尚、中間層１４と最外層１６との一方が有彩色で他方が無彩色であればよい。また、中間層１４と最外層１６との一方が有彩色で他方が該一方と色相（青系統、赤系統、緑系統等）の異なる有彩色であってもよい。また、中間層１４と最外層１６との一方が黒色で他方が白色であってもよい。これらにおいても同様に、中間層１４の露出を容易に判別することができる。
【００２７】
また、最外層１６が中間層１４に植毛されるので、最外層１６が床面に接触する場合に比して中間層１４が床面に接触すると摩擦抵抗が大きくなる。このため、中間層１４が長期間床面と摺動すると床面の傷が発生する場合があり、中間層１４の露出により早期にローラー１２を交換することで床面の傷を防止することができる。
【００２８】
また、中間層１４の外周面の軸方向の中央部を径大にしたので、最外層１６の摩耗時に周方向に延びる線状に中間層１４が露出する。このため、中間層１４と床面との接触面積を小さくし、中間層１４による床面の傷をより防止することができる。尚、中間層１４の外周面の一部が径大に形成されていればよく、周方向の一部を軸方向に延びて径大にしてもよい。また、外周面に突起を設けて一部を径大に形成してもよい。この時、最外層１６が摩耗すると中間層１４が点状に露出する。
【００２９】
また、中間層１４をエラストマー樹脂により形成することにより、エラストマー樹脂の弾性によってローラー１２を床面に追随させることができる。また、最外層１６を耐摩耗性の高いナイロンまたはフッ素樹脂により形成することにより、ローラー１２の交換頻度を少なくして電気掃除機１の利便性を向上することができる。
【００３０】
次に、図４は第２実施形態の電気掃除機１の吸込口体１０のローラー１２を示す断面図である。説明の便宜上、前述の図１〜図４に示す第１実施形態と同様の部分には同一の符号を付している。
【００３１】
ローラー１２は支持部１３上に中間層１５ａ、１５ｂ及び最外層１６が積層される。支持部１３はポリアセタール等の硬質部材により形成される。中間層１５ａはインサート成形により支持部１３と一体成形されるエラストマー樹脂等の軟質部材から成る。中間層１５ａをエラストマー樹脂により形成すると弾性によってローラー１２を床面に追随させることができる。
【００３２】
中間層１５ｂはナイロン等の不織布をウレタン樹脂等により固化して形成した軟質部材から成っている。最外層１６は静電気による吸着や接着剤による接着によって中間層１５ｂ上に植毛されたナイロンやフッ素樹脂等の耐摩耗性の高い軟質部材から成る。中間層１５ｂは例えば、有彩色である黄色に着色して形成され、最外層１６は例えば無彩色の灰色に着色して形成される。
【００３３】
吸込口体１０が床面上を移動するとローラー１２が摩耗する。最外層１６が摩耗して中間層１５ｂが露出すると中間層１５ｂと最外層１６との色相が異なるため使用者により最外層１６の摩耗が容易に判別される。これにより、ローラー１２が交換される。
【００３４】
本実施形態によると、第１実施形態と同様に、ローラー１２が硬質部材から成る支持部１３上に軟質部材から成る中間層１５ｂ（第１軟質部材）と最外層１６（第２軟質部材）を有し、中間層１５ｂが有彩色で最外層１６が無彩色であるので、中間層１５ｂの露出によって最外層１６の摩耗を容易に判別することができる。このため、使用者がローラー１２の交換時期を容易に判別してローラー１２を交換することができる。従って、支持部１３が露出して床面と摺動することによる床面の傷を防止することができる。
【００３５】
尚、上記と同様に、中間層１５ｂと最外層１６との一方が有彩色で他方が無彩色であればよい。また、中間層１５ｂと最外層１６との一方が有彩色で他方が該一方と色相（青系統、赤系統、緑系統等）が異なる有彩色であってもよい。また、中間層１５ｂと最外層１６との一方が黒色で他方が白色であってもよい。これらにおいても同様に、中間層１５ｂの露出を容易に判別することができる。
【００３６】
また、中間層１５ｂが樹脂により固化された不織布から成るので滑り性がよく、中間層１５ｂが露出した際の床面の傷をより防止することができる。尚、本実施形態において、第１実施形態と同様に中間層１５ｂの外周面の一部を径大に形成してもよい。
【００３７】
第１、第２実施形態において、最外層１６を筒状の樹脂層により形成してもよい。また、最外層１６と中間層１４、１５ｂとの間に軟質部材から成る最外層１６と同色の層を設けてもよい。また、最外層１６と中間層１４、１５ｂとを同じ材質にしてもよい。
【産業上の利用可能性】
【００３８】
本発明によると、ローラーの転動により床面上を移動する吸込口体を有した電気掃除機に利用することができる。
【符号の説明】
【００３９】
１    電気掃除機
２    本体部
３    電動送風機
４    接続ホース
５    把持部
６    延長管
１０    吸込口体
１１    筐体
１１ａ  吸込口
１２    ローラー
１３    支持部
１４、１５ａ、１５ｂ  中間層
１６    最外層
１９    回転ブラシ
【図１】
2011055903.tif 000003
【図２】
2011055903.tif 000004
【図３】
2011055903.tif 000005
【図４】
2011055903.tif 000006